【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
ネットワークデバイスに設定され得る設定情報から、監視対象とする設定項目を選択する選択手段と、
前記設定情報から前記選択された設定項目に対応する設定情報を監視用データとして抽出するとともに、前記監視用データを用いた監視を行う対象となるネットワークデバイスと、監視設定と、監視スケジュールを設定した監視タスクを生成する生成手段と、
前記生成される監視タスクに関連付けて、前記抽出された監視用データを保存する保存手段と、
前記生成手段により生成された監視タスクの実行を、当該監視タスクに設定された監視スケジュールに従い制御する制御手段と、
前記監視タスクが実行された際に、当該監視タスクに設定されたネットワークデバイスから前記監視用データに対応する設定情報を取得する取得手段と、
前記監視用データと、前記取得された設定情報との間で、同じ設定項目の値が同じであるか否かを判断する判断手段と、
前記判断手段により同じ設定項目の値が同じでないと判断された場合に、前記実行された監視タスクに設定された監視設定に従う処理を実行する実行手段と、
を有することを特徴とする監視装置。
【請求項２】
前記ネットワークデバイスに設定され得る設定情報には、セキュリティのポリシーに該当する第１の種類の設定情報と、第１の種類の設定情報に連動する設定である第２の種類の設定情報と、第１の種類の設定情報に連動しない設定である第３の種類の設定情報と、が含まれることを特徴とする請求項１に記載の監視装置。
【請求項３】
前記第１の種類の設定情報が別のシステムで監視対象とされている際に、前記選択手段は前記第１の種類の設定情報に対応する設定項目を選択の候補としないとする請求項２に記載の監視装置。
【請求項４】
前記設定情報が補正されて設定されたネットワークデバイスと前記補正された設定情報とを保持する保持手段を有し、
前記生成手段は、監視を行う対象となるネットワークデバイスに、前記保持手段に保持されているネットワークデバイスが含まれている場合、前記補正された設定情報から前記選択された設定項目に対応する設定情報を第２の監視用データとして抽出し、
前記保存手段は、前記第２の監視用データも前記生成される監視タスクに関連付けて保存し、
前記判断手段は、前記保持手段に保持されているネットワークデバイスから取得された設定情報について前記判断を行う場合、前記第２の監視用データを用いることを特徴とする請求項１乃至３のいずれか１項に記載の監視装置。
【請求項５】
ネットワークデバイスに設定された設定情報を監視するための監視タスクを生成する際に、ネットワークデバイスに設定され得る設定情報から、監視対象とする設定内容を選択する選択手段と、
前記設定内容として特定の種類の設定情報についての選択が行われた際に、監視を行う対象となるネットワークデバイスと、監視設定と、監視スケジュールとが設定された監視タスクの生成に伴い、当該設定内容に対応する設定情報を監視用データとして抽出し、該監視用データを当該生成される監視タスクに関連付けて保存する保存手段と、
前記生成された監視タスクの実行を、当該監視タスクに設定された監視スケジュールに従い制御する制御手段と、
前記監視タスクが実行された際に、当該監視タスクに設定されたネットワークデバイスから前記監視用データに対応する設定情報を取得する取得手段と、
前記取得手段により取得された設定情報を用いた比較処理の結果に従い、前記実行された監視タスクに設定された監視設定に従う処理を実行する実行手段と、を有し、
前記設定内容として前記特定の種類とは異なる種類の設定情報についての選択が行われた際には、監視を行う対象となるネットワークデバイスと、監視設定と、監視スケジュールとが設定された監視タスクの生成に伴う、前記保存手段による監視用データの保存が行われないことを特徴とする監視装置。
【請求項６】
前記特定の種類とは異なる種類の設定情報は、セキュリティのポリシーに該当する設定情報であり、
前記選択手段は、セキュリティのポリシーに該当する設定情報については、監視対象とする設定内容を選択する際に、前記監視装置で管理されたポリシーのバージョンの中からいずれかのバージョンを選択し、
前記監視タスクが実行された際には、前記取得手段により取得された設定情報と、当該選択されたバージョンに対応する設定情報との比較処理が行われることを特徴とする請求項５に記載の監視装置。
【請求項７】
前記監視設定には、前記監視を行う対象となるネットワークデバイスの設定が変化したことをメールで通知する第１の監視設定と、前記監視を行う対象となるネットワークデバイスの設定を前記監視用データに含まれる値で更新する第２の監視設定と、の少なくとも何れかが含まれることを特徴とする請求項５または６に記載の監視装置。
【請求項８】
前記実行手段は、前記実行された監視タスクに、前記第１の監視設定が設定されていた場合には、設定の変化が検出されたネットワークデバイスの全てについての検出結果の詳細が記述されたファイルが添付されたメールの通知のための処理を実行することを特徴とする請求項７に記載の監視装置。
【請求項９】
前記実行手段は、前記実行された監視タスクに、前記第２の監視設定が設定されていた場合には、当該監視タスクに設定された前記監視を行う対象となるネットワークデバイスに対して、前記比較処理において同じでないと判断された設定項目の値を、前記監視用データに含まれる値で更新する指示を実行することを特徴とする請求項７に記載の監視装置。
【請求項１０】
前記ネットワークデバイスは、画像形成装置、ネットワークカメラ、デジタル医療機器、ロボット、車載端末、空調機器のいずれかであることを特徴とする請求項１乃至９のいずれか１項に記載の監視装置。
【請求項１１】
監視装置における制御方法であって、
ネットワークデバイスに設定され得る設定情報から、監視対象とする設定項目を選択する選択ステップと、
前記設定情報から前記選択された設定項目に対応する設定情報を監視用データとして抽出するとともに、前記監視用データを用いた監視を行う対象となるネットワークデバイスと、監視設定と、監視スケジュールを設定した監視タスクを生成する生成ステップと、
前記生成される監視タスクに関連付けて、前記抽出された監視用データを保存手段に保存する保存ステップと、
前記生成ステップで生成された監視タスクの実行を、当該監視タスクに設定された監視スケジュールに従い制御する制御ステップと、
前記監視タスクが実行された際に、当該監視タスクに設定されたネットワークデバイスから前記監視用データに対応する設定情報を取得する取得ステップと、
前記監視用データと、前記取得された設定情報との間で、同じ設定項目の値が同じであるか否かを判断する判断ステップと、
前記判断ステップで同じ設定項目の値が同じでないと判断された場合に、前記実行された監視タスクに設定された監視設定に従う処理を実行する実行ステップと、
を有することを特徴とする制御方法。
【請求項１２】
監視装置における制御方法であって、
ネットワークデバイスに設定された設定情報を監視するための監視タスクを生成する際に、ネットワークデバイスに設定され得る設定情報から、監視対象とする設定内容を選択する選択ステップと、
前記設定内容として特定の種類の設定情報についての選択が行われた際に、監視を行う対象となるネットワークデバイスと、監視設定と、監視スケジュールとが設定された監視タスクの生成に伴い、当該設定内容に対応する設定情報を監視用データとして抽出し、該監視用データを当該生成される監視タスクに関連付けて保存する保存ステップと、
前記生成された監視タスクの実行を、当該監視タスクに設定された監視スケジュールに従い制御する制御ステップと、
前記監視タスクが実行された際に、当該監視タスクに設定されたネットワークデバイスから前記監視用データに対応する設定情報を取得する取得ステップと、
前記取得された設定情報を用いた比較処理の結果に従い、前記実行された監視タスクに設定された監視設定に従う処理を実行する実行ステップと、を有し、
前記設定内容として前記特定の種類とは異なる種類の設定情報についての選択が行われた際には、監視を行う対象となるネットワークデバイスと、監視設定と、監視スケジュールとが設定された監視タスクの生成に伴う、前記保存ステップでの監視用データの保存が行われないことを特徴とする制御方法。
【請求項１３】
コンピュータを、請求項１乃至４のいずれか１項に記載された各手段として機能させるためのプログラム。
【請求項１４】
コンピュータを、請求項５乃至１０のいずれか１項に記載された各手段として機能させるためのプログラム。
【手続補正２】
【補正対象書類名】明細書
【補正対象項目名】０００４
【補正方法】変更
【補正の内容】
【０００４】
【特許文献１】特開２００６−３１８２０７号公報
【手続補正３】
【補正対象書類名】明細書
【補正対象項目名】０００８
【補正方法】変更
【補正の内容】
【０００８】
本発明は、ネットワークデバイスに設定され得る設定情報から、監視対象とする設定項目を選択する選択手段と、前記設定情報から前記選択された設定項目に対応する設定情報を監視用データとして抽出するとともに、前記監視用データを用いた監視を行う対象となるネットワークデバイスと、監視設定と、監視スケジュールを設定した監視タスクを生成する生成手段と、前記生成される監視タスクに関連付けて、前記抽出された監視用データを保存する保存手段と、前記生成手段により生成された監視タスクの実行を、当該監視タスクに設定された監視スケジュールに従い制御する制御手段と、前記監視タスクが実行された際に、当該監視タスクに設定されたネットワークデバイスから前記監視用データに対応する設定情報を取得する取得手段と、前記監視用データと、前記取得された設定情報との間で、同じ設定項目の値が同じであるか否かを判断する判断手段と、前記判断手段により同じ設定項目の値が同じでないと判断された場合に、前記実行された監視タスクに設定された監視設定に従う処理を実行する実行手段と、を有することを特徴とする。